【事件の表示】
　平成６年特許願第２１８１４２号「貯玉払出し機能付台間玉貸機」拒絶査定に対する審判事件（平成８年３月５日出願公開、特開平８−５７１４３）について、次のとおり審決する。
【結論】
　本件審判の請求は、成り立たない。
【理由】
１・手続の経緯及び本願の発明
　本願は、平成６年８月１９日に出願されたものであって、その請求項１ないし３に係る各発明は、平成９年２月２８日付けの手続補正によって補正された明細書の特許請求の範囲第１ないし３項に記載されたとおりの、
「１・紙幣等を挿入し、所定数のパチンコ玉（メタルを含む）を貸出す台間玉貸機（メタル貸機を含む）において、
　顧客カードリーダ装置と、予め登録してある顧客カードを挿入すると操作ができる暗証番号入力キー、再プレーキー及び訂正キーと、貯玉数等の情報表示部とをもって構成し、前記各構成装置と接続する遊技場に設置する管理用コンピューターから通信手段により顧客の貯玉情報及び暗証番号等を得て、台間玉貸機から再プレー用の貯玉の払出しを得るようにしたことを特徴とする貯玉払出し機能付台間玉貸機。
２・プリペードカード読取機から玉貸出信号をパチンコ台（スロットマシンを含む）へ送出し、パチンコ台から玉の貸出しが受けられる方式（ＣＲ機という）において、
　前記プリペードカード読取機に、顧客カードリーダ装置と、暗証番号入力等のキーと、表示装置とをもって構成し、
　前記各構成装置と接続する遊技場に設置する管理用コンピューターから送信手段により、プリペードカード読取機から貯玉貸出信号をパチンコ台へ送出し、所定数量の貯玉をパチンコ台（スロットマシンを含む）から貯玉の払出しを受けるようにしたことを特徴とするパチンコ台及びスロットマシンの貯玉払出し方式。
３・パチンコ台等の台間に設置され、且管理用コンピューターと接続する、プリペードカード挿入口と、前記カードの状態を表示する状態表示ランプと、プリペードカード用光通信部とを有するプリペードカード読取機のサイドに、
　顧客カード挿入口及び前記カードのカードリーダ装置と、カード正常読取表示部と、貯玉払出し口部と、入力キーと、前記キーの正常読取表示部とを有し、前記各構成装置と管理用コンピューターとを接続するようにした再プレー用玉払出機を並列状に設置し、前記再プレー用玉払出機から貯玉を払出して、貯玉による再プレーができるようにしたことを特徴とする遊技場における貯玉プレー方式。」
にあるものと認められる。
２・引用例に記載された発明
　原査定の拒絶理由において引用された、本願の出願前に国内において頒布された刊行物である特開平５−１１５６０７号公報（以下、引用例という）には、
特に、
▲１▼「ＩＤカード挿入口３９には、遊技場１の会員となっている遊技者によって・・・遊技者専用のＩＤカード９０が挿入される。このＩＤカード９０にはそのカード特有のＩＤ番号Ｘが記憶されている。」（第３頁第３欄第３５ないし３９行）及び「クレジット数データ格納部８３ｃおよびＩＤ番号格納部８３ｄは・・・遊技場１の会員の人数分だけ設けられている。」（第４頁第６欄第３ないし６行）の記載から、
ＩＤカード９０が会員のカードであり、かつ、ＩＤカード９０が予め登録されているものと認められること、
▲２▼「玉貸し機３０は各パチンコ台２０に一台ずつ設けられており」（第３頁第３欄第１２，１３行）及び第６頁図３の記載から、
玉貸し機３０が台間玉貸し機であるものと認められること、
▲３▼「遊技者は自分のＩＤカード９０を挿入し、テンキー３８で暗証番号をキー入力する。そして入力した暗証番号とＩＤカード９０のＩＤ番号Ｘとが同一であることが確認されると遊技を開始することができる。」（第３頁第３欄第３９ないし４３行）及び「遊技者は、遊技を始めるにあたってＩＤカード９０を玉貸し機３０に挿入し、次いで暗証番号をキー入力する。」（第４頁第６欄第１０ないし１２行）の記載から、
ＩＤカード９０を挿入するとテンキー３８の操作ができるものと認められること、
▲４▼「ホールコンピュータ２には、通信回線３を介して複数のステーション・・・が接続されている。これらのステーション・・・は・・・多数のパチンコ台および玉貸し機と、島管理装置とで構成されている。」（第２頁第２欄第３８ないし４３行）、「遊技者は、プレー終了後はクレジット数データＣを遊技場１に預けた状態で退場し、次回プレーするときはそのクレジット数に応じた玉数を持ち玉として使用することができる。」（第５１頁第７欄第３ないし６行）、「〔Ｓ３〕ホールコンピュータ２から遊技者のクレジット数データＣを一度に読み込む。・・・〔Ｓ４〕選択パネル３５上の選択ボタン３５ａ〜３５ｃの何れかが押されたか否かを判断し、押されていればステップＳ５に進み・・・〔Ｓ５〕硬貨または紙幣が投入されているか否かを判断し、投入されて・・・なければステップＳ７に進む。・・・〔Ｓ７〕選択パネル３５で選択された金額に応じた貸し玉をパチンコ台２０に供給するとともに、その貸し玉数に相当するクレジット数をクレジット数データＣから減算する。」（第５頁第７欄第１９ないし３３行）及び第１０頁図７の記載から、
選択ボタン３５ａ〜３５ｃを押すことによって、クレジット数に応じた玉数による次回プレーを行うことができ（選択ボタン３５ａ〜３５ｃが次回プレーボタンの機能を有しているものと認められる）、かつ、ホールコンピュータ２から通信回線３により会員のクレジット数データＣ及び暗証番号を得て、台間玉貸し機から次回プレー用のクレジット数に応じた玉数の供給を得ることができ、したがって、台間玉貸し機に、クレジット数に応じた玉数の供給機能が付いているものと認められること、
▲５▼「クレジット数データＣは・・・表示部２２に表示される。」（第３頁第４欄第２５ないし２８行）の記載から、
表示部２２がクレジット数データＣを表示するものと認められること、
▲６▼「ホールコンピュータ２により遊技場１全体が管理されている。」（第２頁第２欄第３７，３８行）、前記▲４▼及び「ＩＤカードリーダ５４にＩＤカード９０が挿入されると・・・ＩＤ番号Ｘを読み取り・・・このＩＤ番号Ｘと、テンキー３８から入力された暗証番号とが一致したときには、遊技者の個人データを・・・ホールコンピュータ２から読み込む。この個人データとしては、クレジット数データＣがある。このクレジット数データＣは・・・表示部２２に表示される。」（第３頁第４欄第１７ないし２８行）の記載から、
各構成装置、すなわち、ＩＤカードリーダ５４、テンキー３８、選択ボタン３５ａ〜３５ｃ及び表示部２２が遊技場１に設置されるホールコンピュータ２と接続されているものと認められること、からみて、
「紙幣等を挿入し、所定数のパチンコ玉を貸出す台間玉貸し機３０において、
　会員ＩＤカードリーダ５４と、予め登録してある会員ＩＤカード９０を挿入すると操作ができるテンキー３８、次回プレー選択ボタン３５ａ〜３５ｃとをもって構成し、
　パチンコ台２０には、クレジット数データＣの表示部２２を設け、
　前記各構成装置と接続する遊技場１に設置するホールコンピュータ２から通信回線３により会員のクレジット数データＣ及び暗証番号を得て、台間玉貸し機から次回プレー用のクレジット数に応じた玉数の供給を得るようにしたクレジット数に応じた玉数供給機能付台間玉貸し機」
を構成とする発明が記載されているものと認められる。
３・本願の請求項１に係る発明と引用例に記載された発明との対比
　本願の請求項１に係る発明（前者）と引用例に記載された発明（後者）とを対比すると、
後者の
「会員」、「ＩＤカードリーダ５４」、「ＩＤカード９０」、「テンキー３８」、「次回プレー」、「選択ボタン３５ａ〜３５ｃ」、「表示部２２」、「ホールコンピュータ２」、「通信回線３」及び「供給」
がそれぞれの機能に照らし、それぞれ
前者の
「顧客」、「カードリーダ装置」、「カード」、「暗証番号入力キー」、「再プレー」、「キー」、「情報表示部」、「管理用コンピューター」、「通信手段」及び「払出し」
に相当し、
又、
引用例第２頁第１欄第２８，２９行「遊技交換物のクレジットデータ」、同第３３，３４行「パチンコ玉・・・等の遊技交換物」及び同第５頁第７欄第３ないし６行「遊技者は、プレー終了後はクレジット数データＣを遊技場１に預けた状態で退場し、次回プレーするときはそのクレジット数に応じた玉数を持ち玉として使用することができる」並びに本願明細書段落番号【０００２】「顧客がプレー後パチンコ玉・・・に発生する端玉・・・は、顧客が遊技場に貯玉（貯金をするようにホールにあずける）しておき・・・貯玉の払出しを・・・受けて再プレーをしていた」の記載からみて、
後者の
「クレジット数データＣ」及び「クレジット数に応じた玉数」
がそれぞれ
前者の
「貯玉数、貯玉情報」及び「貯玉」
に相当するものと認められるから、
両者は、
「紙幣等を挿入し、所定数のパチンコ玉を貸出す台間玉貸機において、
　顧客カードリーダ装置と、予め登録してある顧客カードを挿入すると操作ができる暗証番号入力キー、再プレーキーとをもって構成し、
　貯玉数の情報表示部を設け、
　前記各構成装置と接続する遊技場に設置する管理用コンピューターから通信手段により顧客の貯玉情報及び暗証番号を得て、台間玉貸機から再プレー用の貯玉の払出しを得るようにした貯玉払出し機能付台間玉貸機」である、
点において一致し、
（１）訂正キーが、
前者には備わっている
のに対し、
後者では明らかではない点、
（２）情報表示部が、
前者は、台間玉貸機に備わっている
のに対し、
後者は、パチンコ台に備わっている
点において相違しているものと認められる。
４・上記相違点についての判断
　先ず、相違点（１）についてみるに、
訂正キーを備えることは、キー入力手段において慣用手段にすぎないものと認められるから、キー入力手段を備える後者において、訂正キーを備えることは、当業者が格別創意工夫を要することではないというべきである。
　又、前者が訂正キーを備えることによって、訂正キー自体が持つ効果以上の格別な効果が前者によって発揮されるものとも認められない。
　次いで、相違点（２）についてみるに、
情報表示部を、台間玉貸機に備えるか、パチンコ台に備えるかは、当業者が必要に応じて適宜選択し得る単なる設計事項にすぎないものと認められるから、パチンコ台に備わっている情報表示部を、台間玉貸機に移し替えることは、当業者が格別創意工夫を要することではないというべきである。
　又、パチンコ台に備わっている情報表示部を、台間玉貸機に移し替えることによって、格別の効果が発揮されるものとも認められない。
５・むすび
　したがって、本願の請求項１に係る発明は、引用例に記載された発明に基いて当業者が容易に発明をすることができたものであるから、特許法第２９条第２項の規定により特許を受けることができない。
　よって、結論のとおり審決する。